(57)【要約】  【課題】閉塞時に確実に開口を塞ぐことができる巾着袋を提供する。  【解決手段】本実施形態に係る巾着袋である携帯電話ケースＣは、表面布１と、内面布２と、表面布１と内面布２との間に介在する介在部３とを有するシートの一態様である電磁波遮断用シートＳによってなる袋部Ｃ１と、当該袋部Ｃ１の少なくとも一部を開閉し得る開閉部Ｃ２とを有する巾着袋であって、介在部３を、開閉部Ｃ２の開閉の際に開閉部Ｃ２付近の介在部３を重層させ得る重層部３１を設けた。【選択図】図４
0003132190.tif 000002
【実用新案登録請求の範囲】
【請求項１】
表面布及び内面布の間に介在する介在部を有するシートによってなる袋部と当該袋部に設けた開口を開閉し得る開閉部とを有する巾着袋であって、前記介在部を、前記開閉部を閉塞する際に前記開閉部付近の介在部を重層させ得る重層部を設けたことを特徴とする巾着袋。
【請求項２】
前記重層部を、前記介在部に前記開閉部付近から延出させて設けた複数の折り目によって構成している請求項１記載の巾着袋。
【請求項３】
重層部を、平面視前記開閉部側に底辺を有する三角形状に形成している請求項１又は２記載の巾着袋。
【請求項４】
前記重層部を複数設けたものとしている請求項１、２又は３記載の巾着袋。
【請求項５】
前記介在部を、ウレタンを有するものとしている請求項１、２、３又は４記載の巾着袋。
【請求項６】
前記表面布及び前記内面布を、金銀糸を含むものとしている請求項１、２、３、４又は５記載の巾着袋。
【考案の詳細な説明】
【技術分野】
【０００１】
本考案は、内部に携帯電話などの小物を収容することができる巾着袋に関するものである。
【背景技術】
【０００２】
従来、内部に携帯電話等の種々な小物類を収容し得る入れ物の一態様として、袋の開口縁付近を開閉ひもで縛ることにより開閉を行なう巾着袋が多く利用されている。斯かる巾着袋は例えば、布地に絹などといった生地を用いて触感を良好にしたものや、布地が一枚のものに限られることはなく布地を２重構造とし、各布地同士の間に緩衝材などを介在させるなどして、上述の触感をより向上させたり、さらには収容物を落下等の衝撃から有効に保護し得るものとしたりするなど、広く使用されている。
【考案の開示】
【考案が解決しようとする課題】
【０００３】
しかしながら、上述したような、布地を２重構造として、布地間に緩衝材を介在させたものにおいて、単に巾着袋と略同形状の緩衝材を入れた場合、巾着袋を開閉ひもで縛った際に緩衝材が皺となって嵩張ってしまうために布地が波打つようになってしまい、確実に閉塞し得ないといったことが起こる場合がある。
【０００４】
本考案は、このような課題に着目してなされたものであって、主たる目的は、布地間の緩衝材が邪魔にならずに閉塞時に確実に開口を塞ぐことができる巾着袋を提供することにある。
【課題を解決するための手段】
【０００５】
すなわち、本考案の巾着袋は、表面布及び内面布の間に介在する介在部を有するシートによってなる袋部と当該袋部に設けた開口を開閉し得る開閉部とを有する巾着袋であって、前記介在部を、前記開閉部を閉塞する際に前記開閉部付近の介在部を重層させ得る重層部を設けたことを特徴とする。
【０００６】
このようなものであれば、巾着袋の開閉部を閉塞させる際には重層部が閉塞動作に合わせて重層する面積を変化させることによって、介在部に皺が出来たり、波打つような形状となったり、だぶついたりすることにより、開閉部が十分に閉塞し得ないといったことを有効に回避することができる。そうすることにより、好適な開閉動作を行い得る巾着袋を提供することが可能となる。
【０００７】
そして、重層部は、例えば介在部の開閉部付近から開閉部に遠ざかるように切り目を入れるなどして設けることも可能であるが、介在部に切り目を入れる手間などを有効に回避して、簡便に重層部を設けるためには、重層部を、介在部に開閉部付近から延出させて設けた複数の折り目によって構成することが望ましい。
【０００８】
開閉部を閉塞する際に当該開閉部側の寸法が徐々に小さくなる巾着袋の形状を鑑みれば、重層部を、平面視前記開閉部側に底辺を有する三角形状に形成すれば、開閉部の開閉の際の形状の変化に好適に適応し得るものとなる。
【０００９】
そして介在部が局所的に波打ったり、だぶついたりすることを有効に回避するためには重層部を複数設けることが好ましい。
【００１０】
そして巾着袋を衝撃に対して強いものとすることができるとともに、表面布と内面布との寸法を有効に確保するためには、介在部を、ウレタンを有するものとすることが望ましい。
【００１１】
特に本考案に係る巾着袋は、表面布及び前記内面布を、金銀糸を含むものとして、例えば携帯電話に到達するか或いは携帯電話から発せられる電磁波を有効に遮断し得るものとすることができる。
【考案の効果】
【００１２】
以上説明したように本考案によれば、巾着袋の開閉部を閉塞させる際には重層部が閉塞動作に合わせて重層する面積を変化させることができる。そうすることにより、介在部に皺が出来たり、波打つような形状となったり、だぶついたりして、開閉部が十分に閉塞し得ないといったことを有効に回避することができる。その結果、好適な開閉動作を行い得る巾着袋を提供することが可能となる。
【考案を実施するための最良の形態】
【００１３】
以下、本考案の一実施形態を、図面を参照して説明する。具体的には、本考案に係る巾着袋を携帯電話ケースＣとして利用している一例について説明する。
【００１４】
本実施形態に係る巾着袋である携帯電話ケースＣは、図１及び図２に示すように、内部に携帯電話Ｔ等を入れた状態で、図２の様に後述する開閉部Ｃ２を閉塞して持ち歩くためのものである。
【００１５】
ここで本実施形態に係る巾着袋である携帯電話ケースＣは、表面布１と、内面布２と、表面布１と内面布２との間に介在する介在部３とを有するシートの一態様である電磁波遮断用シートＳによってなる袋部Ｃ１と、当該袋部Ｃ１の少なくとも一部を開閉し得る開閉部Ｃ２とを有するものであって、介在部３を、開閉部Ｃ２の開閉の際に開閉部Ｃ２付近の介在部３を重層させ得る重層部３１を設けたことを特徴とするものである。
【００１６】
以下、携帯電話ケースＣの構成を具体的に説明する。
【００１７】
携帯電話ケースＣは、電磁波遮断用シートＳによってなる袋部Ｃ１の開口Ｃ１０付近に設けたひも挿通部Ｃ２１と開閉ひもＣ２２からなる開閉部Ｃ２を設けたものとしている。そして当該ひも挿通部Ｃ２１に開閉ひもＣ２２を通すことにより、この開閉ひもＣ２２の両端を引っ張る動作で開閉部Ｃ２を好適に閉塞し得るものである。すなわち、既存の巾着袋と略同様の開閉動作を行うものである。
【００１８】
電磁波遮断用シートＳは、図３に示すように、携帯電話ケースＣの外側に配している表面布１と、携帯電話ケースＣの内側に配している内面布２とを、介在部３によって所定距離隔てた構成を有しているものである。表面布１と内面布２との間には上述の介在部３の他に図示しない絶縁シートが施されており、表面布１と内面布２とが電気的に完全に分離している構成を有している。
【００１９】
表面布１は、図３に示すように、電磁波を好適に遮断し得る、金属素材であるアルミを含む後述する電磁波遮断用糸ｆ１ａ、ｆ２ａを有する布地Ｆを２枚重ねた構造を有しているものである。なお金属素材としてはアルミに限られず他の導電性を有する種々の金属を用いた、種々の金銀糸を用いることができる。具体的には、同図に示すように、２枚重ねた布地Ｆの経糸ｆ１が延びる方向をそれぞれ直交させて構成しているが、経糸ｆ１同士を同方向に配したものであっても良い。なお、この金銀糸といわれる電磁波遮断用糸ｆ１ａ、ｆ２ａについて、本実施形態では、アルミとポリエステルからなる、いわゆる銀糸を採用している。なお、図示しないが当該表面布１には経糸ｆ１、緯糸ｆ２の他に、格別の糸を用いて文様を織り込んだものとしてもよい。
【００２０】
内面布２は、上述した表面布１に採用した布地Ｆと略同様の構成とし、同様の符合を付して詳細な説明を省略している。
【００２１】
介在部３は、表面布１と内面布２との間を、例えば、１ｃｍよりも大きい寸法で離間させるべく介在させたものである。具体的には、手触りをさらに良くする為、加えてクッション性を向上させるために、ウレタン３０を介在させているものである。
【００２２】
しかして本実施形態に係る携帯電話ケースＣは、開閉部Ｃ２を閉塞する際に前記開閉部Ｃ２付近の介在部３を重層させ得る重層部３１を設けたことを特徴とするものである。
【００２３】
重層部３１は、図４及び図５に示すように、ウレタン３０に開閉部Ｃ２付近から延出させて設けた２つの折り目３１ａ、３１ｂによって一対形成しているものである。そうすることにより開閉部Ｃ２を閉塞する際に開閉部Ｃ２付近の介在部３を重層させて、開閉部Ｃ２を好適に閉塞し得るものとしている。
【００２４】
特に、図４に示すように重層部３１は、平面視前記開閉部Ｃ２側に底辺を有する三角形状に形成している。このように平面視三角形状に形成することにより、開閉部Ｃ２を閉塞する際、図５に示すように、開閉部Ｃ２の形状の変化に伴って重層部３１の形状を変化させることができるので、開閉部Ｃ２付近のウレタン３０の皺やだぶつきによって閉塞動作の妨げとなることを有効に回避して、開閉部Ｃ２を確実に閉塞し得るものとなっている。
【００２５】
以上のような構成とすることにより、本考案に係る巾着袋である携帯電話ケースＣは、斯かる構成を有する重層部３１を設けることにより、巾着袋の開閉部Ｃ２を閉塞させる際には重層部３１が閉塞動作に合わせて重層する面積を変化させることによって、介在部３に皺が出来たり、波打つような形状となったり、だぶついたりすることにより、開閉部Ｃ２が十分に閉塞し得ないといったことを有効に回避し得たものとなっている。その結果、好適な開閉動作を行い得る携帯電話ケースＣを提供している。
【００２６】
介在部３に開閉部Ｃ２付近から延出させて設けた複数の折り目３１ａ、３１ｂによって構成することにより、介在部３に切り目を入れる等の作業を回避して、簡便に重層部３１を設けたものとしている。
【００２７】
また本実施形態では、開閉部Ｃ２を閉塞する際に当該開閉部Ｃ２側の寸法が徐々に小さくなる巾着袋の形状を鑑みて重層部３１を、平面視前記開閉部Ｃ２側に底辺を有する三角形状に形成して、図５に示すように、開閉部Ｃ２の開閉の際の形状の変化に好適に適応し得たものとしている。また重層部３１を複数設けることにより、介在部３が局所的に波打ったり、だぶついたりすることをより有効に回避し得たものとなっている。
【００２８】
そして巾着袋を衝撃に対して強いものとすることができるとともに、表面布１と内面布２との寸法を有効に確保するためには、介在部３を、ウレタン３０によって構成したものとしている。
【００２９】
特に本考案に係る巾着袋は、表面布１及び前記内面布２を、金銀糸である電磁波遮断用糸ｆ１ａ、ｆ２ａを含むものとした電磁波遮断用シートＳを採用することにより、例えば携帯電話に到達するか或いは携帯電話から発せられる電磁波を有効に遮断し得るものとすることができる。その際、上述の通り開閉部Ｃ２により好適に開口Ｃ１０を閉塞し得るものとなっているため、電磁波をより有効に遮断し得るものとなっている。
【００３０】
なお、本考案は、以上に詳述した実施形態に限られるものではない。
＜変形例＞
例えば、上記実施形態では重層部３１を複数の折り目３１ａ、３１ｂにより構成したものとしているが、当該態様に限られるものではない。例えば図６に示すような変形例として、介在部３すなわちウレタン３０に切れ目３１ｃを設けることにより切れ目３１ｃ、３１ｃを離間させた部分から重層させる構成としてもよい。なお同変形例において、上記実施形態と同様の構成要素に対しては同じ符合を付して詳細な説明を省略するものとする。
【００３１】
このようなものであれば、重層部において介在部３が折れ曲がる箇所を少なくして、開閉部を閉塞する際に介在部が嵩張らないものとすることができる。
【００３２】
その他、各部の具体的構成についても上記実施形態に限られるものではなく、本考案の趣旨を逸脱しない範囲で種々変形が可能である。
【図面の簡単な説明】
【００３３】
【図１】本考案の一実施形態に係る外観図。
【図２】同上。
【図３】同実施形態に係る構成説明図。
【図４】同実施形態に係る模式的な断面図。
【図５】同実施形態に係る作用説明図。
【図６】同実施形態の変形例に係る模式的な断面図。
【符号の説明】
【００３４】
１…表面布
２…内面布
３…介在部
３０…ウレタン
３１ａ、３１ｂ…折り目
Ｓ…シート（電磁波遮断用シート）
Ｃ１…袋部
Ｃ１０…開口
Ｃ２…開閉部
Ｃ…巾着袋（携帯電話ケース）
３１…重層部
ｆ１ａ、ｆ２ａ…金銀糸（電磁波遮断用糸）
【図１】
0003132190.tif 000003
【図２】
0003132190.tif 000004
【図３】
0003132190.tif 000005
【図４】
0003132190.tif 000006
【図５】
0003132190.tif 000007
【図６】
0003132190.tif 000008